(57)【特許請求の範囲】
【請求項１】
建物の床上空間と床下空間とを区画する床材の下面に、放熱管が固定手段により密着固定して設けられ、
前記床下空間は、前記床材と、基礎として構築された基礎底盤コンクリートと、その側縁に立設された基礎側壁コンクリートと、で囲まれており、
前記基礎側壁コンクリートの前記床下空間側には、断熱材が取り付けられ、
前記放熱管は、前記床材を支持する複数の床支持体としての床小梁間で波形状に折り返して設けられるとともに、これに熱媒を循環させる熱源に循環管路を介して接続され、
前記熱源は、前記建物の屋外に設けられたヒートポンプであり、
前記固定手段は、ステープル型またはサドルバンド型の止具だけで構成され、複数の前記止具が間隔をあけて設けられていることを特徴とする床暖房システム。
【請求項２】
前記放熱管は硬質管であることを特徴とする請求項１に記載の床暖房システム。
【請求項３】
複数の前記床小梁間に、蓄熱体が設けられていることを特徴とする請求項１又は２に記載の床暖房システム。
【請求項４】
前記放熱管の下面と前記蓄熱体の上面との間は離間されており、前記床小梁間に蓄熱空間が形成されていることを特徴とする請求項３に記載の床暖房システム。
【請求項５】
前記蓄熱体は、前記床小梁間に、着脱可能に設けられていることを特徴とする請求項３又は４に記載の床暖房システム。
【請求項６】
前記蓄熱体は、潜熱蓄熱材から成ることを特徴とする請求項３乃至５のいずれか１項に記載の床暖房システム。
【請求項７】
請求項１乃至６のいずれか１項に記載の床暖房システムを備えていることを特徴とする建物。
【請求項８】
請求項１乃至６のいずれか１項に記載の床暖房システムを備えていることを特徴とするユニット建物。
【請求項９】
前記ユニット建物を構成する建物ユニットの床材の裏面に、前記放熱管が工場で予め設けられていることを特徴とする請求項８に記載のユニット建物。
【発明の詳細な説明】
【技術分野】
【０００１】
本発明は、建物の床暖房システム、この床暖房システムを備えた建物、及びこの床暖房システムを備えたユニット建物に関するものである。
【背景技術】
【０００２】
従来から、建物の床下空間を形成する床材の下方に放熱管を設けて床暖房を行えるようにした床暖房システムは知られている（例えば、特許文献１等を参照）。
【先行技術文献】
【特許文献】
【０００３】
【特許文献１】特開２００５−６１６３８号公報
【発明の概要】
【発明が解決しようとする課題】
【０００４】
しかしながら、特許文献１のような従来の床暖房システムでは、放熱管が完全な密閉状態とされているため、放熱管に劣化した箇所がないかどうか確認するためなどの点検を行ったり、放熱管の破損部分を修理するためなどのメンテナンスを行ったりすることが困難であった。
【０００５】
そこで、本発明は、放熱管の点検やメンテナンスを容易に行うことができる建物の床暖房システム、この床暖房システムを備えた建物、及びこの床暖房システムを備えたユニット建物を提供することを目的としている。
【課題を解決するための手段】
【０００６】
前記目的を達成するために、本発明の床暖房システムは、建物の床上空間と床下空間とを区画する床材の下面に、放熱管が固定手段により密着固定して設けられていることを特徴とする。
【０００７】
ここで、前記放熱管は硬質管であり、前記固定手段は、複数個の止具であるとよい。
【０００８】
また、前記放熱管は、これに熱媒を循環させる熱源に循環管路を介して接続されているとよい。
【０００９】
さらに、前記熱源は、前記建物の屋外に設けられたヒートポンプであるとよい。
【００１０】
また、前記床材を支持する複数の床支持体間に、蓄熱体が設けられているとよい。
【００１１】
さらに、前記放熱管の下面と前記蓄熱体の上面との間は離間されており、前記床支持体間に蓄熱空間が形成されているとよい。
【００１２】
また、前記蓄熱体は、前記床支持体間に、着脱可能に設けられているとよい。
【００１３】
さらに、前記蓄熱体は、潜熱蓄熱材から成るとよい。
【００１４】
本発明の建物は、上記した床暖房システムを備えていることを特徴とする。
【００１５】
本発明のユニット建物は、上記した床暖房システムを備えていることを特徴とする。
【００１６】
ここで、前記ユニット建物を構成する建物ユニットの床材の裏面に、前記放熱管が工場で予め設けられているとよい。
【発明の効果】
【００１７】
このような本発明の床暖房システムは、建物の床上空間と床下空間とを区画する床材の下面に、放熱管が固定手段により密着固定して設けられた構成とされている。
【００１８】
上記した構成なので、下方の床下空間側から放熱管の点検やメンテナンスを容易に行うことができる。
【００１９】
ここで、放熱管は硬質管であり、固定手段は、複数個の止具である場合は、放熱管は硬質管であるので、複数個の止具で間隔をあけて止めるだけでしっかりと固定することができ、放熱管のほとんどの部分が目視できるので、点検を容易に行うことができるうえに、止具を外すだけで、破損部分の放熱管を交換するメンテナンスを容易に行うことができる。
【００２０】
また、放熱管は、これに熱媒を循環させる熱源に循環管路を介して接続されている場合は、簡易に放熱管から熱を放熱する構造とすることができる。
【００２１】
さらに、熱源は、建物の屋外に設けられたヒートポンプである場合は、ヒートポンプを用いるので、省エネルギー性能に優れたものとすることができる。
【００２２】
また、床材を支持する複数の床支持体間に、蓄熱体が設けられている場合は、放熱管から放熱される熱が蓄熱体に蓄熱され、放熱管からの放熱が終わった後も、しばらくの間、床暖房の効果が継続する。
【００２３】
さらに、放熱管の下面と蓄熱体の上面との間は離間されており、床支持体間に蓄熱空間が形成されている場合は、床支持体間の蓄熱空間が放熱管による放熱により暖められるので、床材の上面が均一に近く暖められ、ムラの少ない床暖房を行うことができる。
【００２４】
また、蓄熱体は、床支持体間に、着脱可能に設けられている場合は、施工時には、蓄熱体を容易に装着することができ、点検時やメンテナンス時には、蓄熱体を容易に脱離することができる。
【００２５】
さらに、蓄熱体は、潜熱蓄熱材から成る場合は、潜熱蓄熱材は、少量で多くの蓄熱ができるうえに、必要としている時間にシフトして利用することができる性質を有するので、熱エネルギーをより効率的に用いることができる。
【００２６】
このような本発明の建物は、上記した床暖房システムを備えた構成とされている。
【００２７】
上記した構成なので、上記した効果を奏する建物とすることができる。
【００２８】
このような本発明のユニット建物は、上記した床暖房システムを備えた構成とされている。
【００２９】
上記した構成なので、上記した効果を奏するユニット建物とすることができるうえに、ユニット建物であるが故に、工期を大幅に短縮できるなどのメリットを有する。
【００３０】
ここで、ユニット建物を構成する建物ユニットの床材の裏面に、放熱管が工場で予め設けられている場合は、上記した本発明のユニット建物を、より工期を短縮して構築することができる。
【図面の簡単な説明】
【００３１】
【図１】実施例の床暖房システムを備えたユニット建物の概略構成を示す説明図である。
【図２】放熱管の床材の裏面への設置状態を示す説明図である。
【図３】止具による放熱管の床材の裏面への固定状態を示す説明図である。
【図４】蓄熱体の床小梁間への設置状態を示す説明図である。
【図５】実施例の床暖房システムにおいて床下暖房を行っている状態を説明するための説明図である。
【発明を実施するための形態】
【００３２】
以下、本発明を実施するための形態を、図面に示す実施例に基づいて説明する。
【実施例】
【００３３】
先ず、実施例の構成について説明する。
【００３４】
図１は、実施例の床暖房システムを備えた建物としてのユニット建物１の概略構成を示している。
【００３５】
まず、このユニット建物１は、基礎として構築された基礎底盤コンクリート１ｂと、その側縁に立設された基礎側壁コンクリート１ｃの上に、建物ユニット１Ａ，１Ａを組み付けて成る。
【００３６】
これにより、基礎側壁コンクリート１ｃの上に立設された外壁部１ｄと、その外壁部１ｄの上端開口を塞ぐ天井部１ｅとが形成される。
【００３７】
そして、この天井部１ｅと外壁部１ｄとに囲まれる空間は、床部を構成する床材１ａによって床下空間４と床上空間５とに区画されている。
【００３８】
ここで、床材１ａは、図示省略の大梁間に略等間隔で架設された床支持体としての床小梁１１，・・・により支持されている。
【００３９】
また、建物ユニット１Ａ，１Ａでは、図２に示したように、工場で予め、床材１ａの下面に、アルミ管を樹脂で被覆したアルミ樹脂複合管などの硬質管である放熱管２が波形状に折り返して設けられている。
【００４０】
ここで、放熱管２は、図３に示したように、固定手段としての複数個のステープル型の止具３，・・・により、床材１ａの下面に密着固定して設けられている。
【００４１】
さらに、床小梁１１，・・・の下端部間には、図１及び図４に示したように、潜熱蓄熱材から成る板状の蓄熱体９がそれぞれ設けられている。
【００４２】
ここで、床小梁１１，・・・の下端部には、支持突起１１ａがそれぞれ設けられており、蓄熱体９は、着脱可能となっている。
【００４３】
また、放熱管２の下面と蓄熱体９の上面との間は離間されており、床小梁１１，１１間に蓄熱空間５が形成されている。
【００４４】
さらに、放熱管２は、一端部に循環管路としての放熱管用往路管２１が設けられ、他端部には循環管路としての放熱管用復路管２２が設けられており、ユニット建物１の屋外に設けられた熱源としてのヒートポンプ６に接続されており、熱媒としての温水が循環可能とされている。
【００４５】
なお、基礎側壁コンクリート１ｃの床下空間４側には、グラスウールなどの断熱材７が取り付けられており、床下空間４内の熱が屋外に極力漏れない断熱構造となっている。
【００４６】
これにより、床上空間５に設けられたコントローラとしてのリモートコントローラ８を操作して、この実施例の床暖房システムの運転をオンにすると、図５に示したように、床暖房が行われ、床部を構成する床材１ａの表面及び床上空間５が暖められる。
【００４７】
なお、リモートコントローラ８を操作して、この実施例の床暖房システムの運転をオフにし、放熱管からの放熱が終わった後も、蓄熱体９，・・・及び蓄熱空間５，・・・から放熱がなされ、しばらくの間、床暖房の効果が継続する。
【００４８】
次に、実施例の作用効果について説明する。
【００４９】
このような実施例の床暖房システムは、建物としてのユニット建物１の床上空間５と床下空間４とを区画する床材１ａの下面に、放熱管２が固定手段としての止具３，・・・により密着固定して設けられた構成とされている。
【００５０】
上記した構成なので、下方の床下空間４側から放熱管２の点検やメンテナンスを容易に行うことができる。
【００５１】
ここで、放熱管２は硬質管であり、固定手段は、複数個の止具３，・・・である。
【００５２】
このため、放熱管２は硬質管であるので、複数個の止具３，・・・で間隔をあけて止めるだけでしっかりと固定することができ、放熱管２のほとんどの部分が目視できるので、点検を容易に行うことができるうえに、止具３，・・・を外すだけで、破損部分の放熱管２を交換するメンテナンスを容易に行うことができる。
【００５３】
また、放熱管２は、これに熱媒を循環させる熱源としてのヒートポンプ６に循環管路としての放熱管用往路管２１及び放熱管用復路管２２を介して接続されている。
【００５４】
このため、簡易に放熱管２から熱を放熱する構造とすることができる。
【００５５】
さらに、熱源は、ユニット建物１の屋外に設けられたヒートポンプ６である。
【００５６】
このため、ヒートポンプ６を用いるので、省エネルギー性能に優れたものとすることができる。
【００５７】
また、床材１ａを支持する複数の床支持体としての床小梁１１，１１間に、蓄熱体９が設けられている。
【００５８】
このため、放熱管２から放熱される熱が蓄熱体９に蓄熱され、放熱管からの放熱が終わった後も、しばらくの間、床暖房の効果が継続する。
【００５９】
さらに、放熱管２の下面と蓄熱体９の上面との間は離間されており、床支持体としての床小梁１１，１１間に蓄熱空間５が形成されている。
【００６０】
このため、床支持体としての床小梁１１，１１間の蓄熱空間５が放熱管２による放熱により暖められるので、床材１ａの上面が均一に近く暖められ、ムラの少ない床暖房を行うことができる。
【００６１】
また、蓄熱体９は、床支持体としての床小梁１１，１１間に、着脱可能に設けられている。
【００６２】
このため、施工時には、蓄熱体９を容易に装着することができ、点検時やメンテナンス時には、蓄熱体９を容易に脱離することができる。
【００６３】
さらに、蓄熱体９は、潜熱蓄熱材から成る。
【００６４】
このため、潜熱蓄熱材は、少量で多くの蓄熱ができるうえに、必要としている時間にシフトして利用することができる性質を有するので、熱エネルギーをより効率的に用いることができる。
【００６５】
このような実施例の建物としてのユニット建物１は、実施例の床暖房システムを備えた構成とされている。
【００６６】
上記した構成なので、上記した実施例の床暖房システムの作用効果を奏する建物とすることができる。
【００６７】
そのうえ、ユニット建物であるが故に、通常の軸組建物などよりも、工期を大幅に短縮できるなどのメリットを有する。
【００６８】
ここで、ユニット建物１を構成する建物ユニット１Ａ，１Ａの床材１ａの裏面に、放熱管２が工場で予め設けられている。
【００６９】
このため、上記したユニット建物１を、より工期を短縮して構築することができる。
【００７０】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００７１】
例えば、上記した実施例では、本発明の床暖房システムの説明を簡単に行えるように、建物としてのユニット建物１の構造などを単純化したが、これに限定されず、より複雑な構造で実施してもよい。
【００７２】
また、上記した実施例では、建物として、ユニット建物１を適用して実施したが、これに限定されず、軸組建物などで実施してもよい。
【００７３】
さらに、上記した実施例では、本発明の床暖房システムを１階の床下空間４で実施したが、これに限定されず、２階以上の床下空間で実施してもよい。
【００７４】
また、上記した実施例では、蓄熱体９として、潜熱蓄熱材を用いて実施したが、これに限定されず、顕熱蓄熱材を用いて実施してもよい。
【００７５】
さらに、上記した実施例では、複数個の止具３，・・・として、ステープル型のものを用いて実施したが、これに限定されず、サドルバンド型のものなどを用いて実施してもよい。
【符号の説明】
【００７６】
１      ユニット建物（建物）
１Ａ    建物ユニット
１ａ    床材
１ｂ    基礎底盤コンクリート
１ｃ    基礎側壁コンクリート
１ｄ    外壁部
１ｅ    天井部
１１    床小梁（床支持体）
１１ａ  支持突起
２      放熱管
２１    放熱管用往路管（循環管路）
２２    放熱管用復路管（循環管路）
３      止具（固定手段）
４      床下空間
５      床上空間
６      ヒートポンプ（熱源）
７      断熱材
８      リモートコントローラ（コントローラ）
９      蓄熱体
【図１】
0006445794.tif 000002
【図２】
0006445794.tif 000003
【図３】
0006445794.tif 000004
【図４】
0006445794.tif 000005
【図５】
0006445794.tif 000006